(57)【要約】【課題】土砂吸出防止、土砂フィルター、盛土安定処理等に使用する合成樹脂マットやネットが水に濡れた際、地面等に接する面に水苔、水垢、ぬめり等が付着して目詰まりを起こし、透水性が劣化し、透水用マットやネットとしての役割を果たさなくなる問題があり、業界の悩みになっている。【解決手段】遠赤外線を発生する鉱物、光触媒を行う酸化金属及び酸化チタン等を粉末にして合成繊維マットやネットに塗布し、アルカリカンラン石の効能により合成繊維マットやネットに接する水が腐敗して目詰まりを起こす原因を除去した。【選択図】    図１
2005163250.tif 000002
【特許請求の範囲】
【請求項１】
遠赤外線を発生するアルカリカンラン石、光触媒を行う酸化金属及び酸化チタンより選択される少なくても一種の粉末を塗布して水の腐敗による目詰まりを防止したことを特徴とする目詰まり防止合成繊維マット及びネット。
【発明の詳細な説明】
【技術分野】
【０００１】  本発明は、土木工事、道路工事、護岸工事等において土砂吸出防止、透水等に使用する合成繊維マット及びネットに水苔、水垢、ぬめり等が付着するのを防止する技術に関している。
【背景技術】
【０００２】  各種土木工事、道路工事、護岸工事、整地等において排水、濾過、分離、補強機能を持たせた合成繊維マットやネットを敷設し、上部に土盛したり舗装したりしている。この合成繊維マットやネットは土壌を安定させたり、土砂の流出を押さえるだけでなく、降雨時に雨を透水させて側溝に流したり、湧水を側溝に流す役割を果たしている。
合成繊維は耐久性に富み、合成繊維をマットやネットに加工した製品を利用して河川の土木工事や護岸工事に土砂吸出防止、河底洗堀防止、用水路板柵の裏込フィルターに使用したり、港湾や漁港で護岸工事の際の埋立土砂流出防止や土砂洗堀防止に使用したり、道路工事において盛土安定処理や土層分離に使用したり、鉄道工事において排水ブランケットの土砂フィルターに使用したり、ダム、溜池、調整池、廃棄物処理場、農地造成、整地等において土砂吸出防止に使用されている。
【発明の開示】
【発明が解決しようとする課題】
【０００３】  合成繊維マットやネットを土砂吸出防止、土砂フィルター、盛土安定処理等に使用すると、降雨や湧水等で水に濡れることになる。地面等に接する面に水苔、水垢、バクテリア発生によるぬめり等が付着して目詰まりを起こし、透水性が劣化し、透水用マットやネットとしての役割を果たさなくなる問題があり、業界の悩みになっている。
【課題を解決するための手段】
【０００４】  そこで、本発明においては、合成繊維マットやネットに目詰まりを起こす原因を除去することを検討した。合成繊維マットやネットに付着した水が腐敗したり、合成繊維マットやネットの接触する土壌や他の物質の面に付着した有機物が腐敗したりするので合成繊維マットやネットに水苔、水垢、ぬめり等が付着することになる。合成繊維マットやネットに接触する水が腐敗しないように活性化させることが重要である。本発明では、遠赤外線を発生するアルカリカンラン石、光触媒を行う酸化金属及び酸化チタンより選択される少なくても一種の粉末を塗布して水の腐敗による目詰まりを防止している。
遠赤外線に関しては、水浄化作用に重要な役割を果たす電磁波は４〜１４ミクロンの波長で、育成光線と呼ばれ太陽光線の中では生物や水などに一番重要な役割を果たす波長である。この育成光線は遠赤外線の波長に属し、アルカリカンラン石は噴火時に熔岩流として噴出した鉱石であり、多くの元素を含有し、遠赤外線の強力な電磁波を放射し続けている。この電磁波が水質浄化に作用し、弱アルカリ水を造りだし、水の腐敗を防ぐ性能を有している。
遠赤外線を発生するアルカリカンラン石を粉末にして合成繊維マットやネットに塗布すると、アルカリカンラン石の効能により合成繊維マットやネットに接する水が腐敗しないので目詰まりを起こすことがなくなる。アルカリカンラン石粉末を合成繊維マットやネットに塗布する方法はアルカリカンラン石粉末を合成樹脂と混合して合成繊維マットやネットへスプレー、ディピング、ハケ塗り、ローラー塗り等である。あるいは、合成繊維マットやネットに塗布した接着剤にアルカリカンラン石粉末を接着させる方法も考えられる。
光触媒を行う酸化金属粉末や酸化チタン粉末を合成繊維マットやネットへ塗布するのも、水の腐敗を防止する方法の一つである。塗布方法はアルカリカンラン石粉末の塗布方法と同様である。
アルカリカンラン石粉末、酸化金属粉末、酸化チタン粉末等を個別に合成繊維マットやネットに塗布してもよいが、混合して塗布してもよい。合成繊維マットやネットにアルカリカンラン石粉末を塗布する際に、無機質の合成樹脂を使用すると、合成樹脂の成分が水質に悪影響を及ぼすことがなく、水質改良に適した効能を発揮し、池、溜水、水槽等においても使用することができる。
【発明の効果】
【０００５】  本発明の、その効果は下記の通りである。
（イ）合成樹脂マットやネットに接する水の腐敗を防止し、目詰まりを無くする。
（ロ）水質改良した水を側溝に流すことができる。
（ハ）かびや水苔の発生を防ぐ。
（ニ）河川や海岸の水辺、湖沼、池、溜池、水槽等の水質改善に寄与する。
【発明を実施するための最良の形態】
【０００６】  以下、本発明の実施の形態について説明する。
合成樹脂マットやネットへアルカリカンラン石粉末、酸化金属粉末、酸化チタン粉末等を塗布するには各種の方法がある。アクリル樹脂、エポキシ樹脂、ウレタン樹脂、塩化ビニル樹脂、その他の樹脂にアクリルカンラン石粉末、酸化金属粉末、酸化チタン粉末等を混合し、合成樹脂マットやネットへスプレー、ハケ塗り、ディピング等により塗布する。あるいは、合成樹脂マットやネットへ接着剤を塗布した上にアルカリカンラン石粉末を接着する方法も考えられる。
【実施例１】
【０００７】  図１は合成樹脂マット（１）へアルカリカンラン石粉末を混合した合成樹脂（３）をスプレーした状態を示している。合成樹脂マット（１）表面の繊維（２）にアルカリカンラン石粉末を混入した合成樹脂（３）をスプレーし、固化した状態の断面にした説明図である。繊維（２）の周りにアルカリカンラン石粉末を混入した合成樹脂（３）が付着し、遠赤外線を発生しているので、合成樹脂マット（１）に接した水分は腐敗することがなく、目詰まりを起こさないので合成樹脂マット（１）の透水性を保ち、土砂吸出防止等の役割を果たしている。
図２は合成樹脂マット（１）をアルカリカンラン石粉末を混合した合成樹脂（３）の液体へディピングし、アルカリカンラン石粉末を混合した合成樹脂（３）を固化させた状態を示す断面にした説明図である。合成樹脂マット（１）全体の繊維（２）にアルカリカンラン石粉末を混合した合成樹脂（３）が付着するので、完全に繊維（２）の目詰まりを防止する。
図３は合成樹脂ネット（４）をアルカリカンラン石粉末を混合した合成樹脂（３）の液体へディピングし、アルカリカンラン石粉末を混合した合成樹脂（３）を固化させた状態を示す断面にした説明図である。合成樹脂マット（１）と同様に、目詰まりを起こさないことが重要である。
【図面の簡単な説明】
【０００８】
【図１】アルカリカンラン石粉末を混合した合成樹脂をスプレーした合成樹脂マットの説明図である。
【図２】アルカリカンラン石粉末を混合した合成樹脂（３）の液体へディピングし合成樹脂マットの説明図である。
【図３】アルカリカンラン石粉末を混合した合成樹脂（３）の液体へディピングし、合成樹脂ネットの説明図である。
【符号の説明】
【０００９】１  合成樹脂マット
２  繊維
３  アルカリカンラン石粉末を混合した合成樹脂
４  合成樹脂ネット
【図１】
2005163250.tif 000003
【図２】
2005163250.tif 000004
【図３】
2005163250.tif 000005